(57)【要約】      （修正有）【課題】簡単な操作でキャスターをロック及びロック解除でき、ロック操作時にキャスターの向きを変える必要がない、ストッパー付きキャスターを提供する。【解決手段】ストッパー付きキャスター３０において、半径方向に放射状に向くV字状の溝を有するストッパー受け２０がホイール側面にホイール２と同軸に固定され、該ストッパー受け２０の溝と係合するV字状の畝を有するストッパー４が可動ピン６及びスプリング５を介してステイ１に保持され、該スプリング５は可動ピン６をステイ１から離す方向に付勢され、ステイ１に軸枢されたレバー９がキャスター３０のロック位置にある時には、レバー９が可動ピン６をホイール２の方向に押し、従ってストッパー４がホイール１に固定されたストッパー受け２０と係合してホイール１の回転を防ぎ、レバー９がロック解除位置にある時には、該スプリング５がストッパー４をストッパー受け２０から離れた位置に保持する。【選択図】図１
2009286315.tif 000002
【特許請求の範囲】
【請求項１】
ストッパー付きキャスター（３０）において、
ホイール（２）の回転軸がステイ（１）に保持され、ホイール（２）の半径方向に放射状に向くV字状の溝を有するストッパー受け（２０）がホイール側面にホイールと同軸に固定され、
該V字状の溝を有するストッパー受け（２０）の溝と係合するV字状の畝を有するストッパー（４）が可動ピン（６）及びスプリング（５）を介してステイ（１）に保持され、該スプリング（５）は可動ピン（６）をステイから離す方向に付勢され、
ステイ（１）に軸枢されたレバー（９）がキャスターのロック位置にある時には、レバー（９）が可動ピン（６）をホイール（２）の方向に押し、従ってストッパー（４）がホイール（２）に固定されたストッパー受け（２０）と係合してホイール（２）の回転を防ぎ、レバー（９）がキャスターのロック解除位置にある時には、該スプリング（５）がストッパー（４）をストッパー受け（２０）から離れた位置に保持する
ことを特徴とする、ストッパー付きキャスター（３０）。
【請求項２】
レバーの長手方向は、レバー（９）がロック解除位置にある時にはホイール（２）の半径方向を向き、レバー（９）がロック位置にある時にはホイール（２）の軸方向を向き、従ってロック解除位置にあるときにレバー（９）はステイ（１）から突出していない、請求項１記載のストッパー付きキャスター。
【請求項３】
ストッパー（４）及びストッパー受け（２０）を含む上記ストッパー機構がホイール（２）の両側面に各１備えられている、請求項１又は２記載のストッパー付きキャスター。
【発明の詳細な説明】
【技術分野】
【０００１】
本発明は、大型の鞄などの下に装備されるキャスターに関する。
【背景技術】
【０００２】
鞄、買い物カート、台車、移動机、作業台などの下にキャスターが装備されて、移動を容易にしている。停止時において、地面あるいは床面が傾斜している場合に、あるいは電車の発車・停車時の加速度によって、鞄などが不意に動き出さないようにキャスターの回転を止めるストッパーをキャスターが備えている。
【０００３】
ストッパー付キャスターは、特開平10−6706号公報および特開2000−301905号公報に記載されている。双輪の場合には、軸と溝とで回転を止め、単輪の場合には、ステイを変形させてタイヤとの隙間をなくして回転を止めている。また、操作レバーが突出しており、移動中に障害物に当ることがある。
【０００４】
特開2003−205701号公報のキャスターにおいては、操作部がキャスターの進行方向に対して後方に設置されているが、キャスターの旋回位置によっては操作部が取り付け面の内側に入り、するとキャスターを旋回させて操作部を外側に出すことが必要に成る。また一般に、キャスターにおいてストッパーの側面に操作部があるものでは、操作部が常に側面から突出しているので、移動中に障害物に操作部が当ってしまうと言う不都合があった。
【０００５】
【特許文献１】特開平10−6706号公報
【特許文献２】特開2000−301905号公報
【特許文献３】特開2003−205701号公報
【発明の開示】
【発明が解決しようとする課題】
【０００６】
本発明は、上記問題を解決して、簡単な操作でキャスターをロック及びロック解除でき、ロック操作部が常に人の手が接近し易い位置にあり、操作時にキャスターの向きを変える必要がなく、移動時には操作部などが障害物に当ることが無い、ストッパー付きキャスターを提供することを目的とする。
【課題を解決するための手段】
【０００７】
上記課題は、ストッパー付きキャスター（３０）において、
ホイール（２）の回転軸がステイ（１）に保持され、ホイール（２）の半径方向に放射状に向くV字状の溝を有するストッパー受け（２０）がホイール側面にホイールと同軸に固定され、
該V字状の溝を有するストッパー受け（２０）の溝と係合するV字状の畝を有するストッパー（４）が可動ピン（６）及びスプリング（５）を介してステイ（１）に保持され、該スプリング（５）は可動ピン（６）をステイから離す方向に付勢され、
ステイ（１）に軸枢されたレバー（９）がキャスターのロック位置にある時には、レバー（９）が可動ピン（６）をホイール（２）の方向に押し、従ってストッパー（４）がホイール（２）に固定されたストッパー受け（２０）と係合してホイール（２）の回転を防ぎ、レバー（９）がキャスターのロック解除位置にある時には、該スプリング（５）がストッパー（４）をストッパー受け（２０）から離れた位置に保持する
ことを特徴とする、ストッパー付きキャスター（３０）によって解決される。
【発明を実施するための最良の形態】
【０００８】
本発明の好ましい態様を添付図を参照しながら説明する。図１は本発明のストッパー付きキャスター（３０）の組立て図であり、図2−1は、本発明のストッパー付きキャスターの側面図、図2−2は正面図、図2−3は底面図であり、図3−1は、図2−1のX-X’における断面図（中空リベットの中心を通る断面図）、図3−2は図２−１のX-Yにおける断面図（可動ピンの中心を通る断面図）であり、図４は本発明のストッパー付きキャスターのロック状態を示す、可動ピンの中心を通る断面図である。
【０００９】
図1において、キャスター（３０）のステイ（１）は、鞄などの底面の取り付けベース（１２）にベアリング（11）を介して、断付き中空リベット（13）によりワッシャー（１４）を付して加締められる。段付き中空リベット（13）と取り付けベース（１２）は鞄の底面に固定されるが、段付き中空リベット（13）の段の寸法とベアリング（11）との厚さの差により、段付き中空リベット（13）とステイ（１）の間隔が保たれて、ベアリング（11）によりステイ（1）は鞄などに相対的に回転できる。ホイール（2）は、たとえばインサート射出成形によりブッシュ（３）と一体成形され、ブッシュ（３）の両側面に、ホイールの半径方向に放射状に向くV字状の溝を有するストッパー受け（２０）がホイール（２）と同軸に設けられる。ストッパー受け（２０）はブッシュ（３）の一部分であっても良い。ホイール（２）は中空リベット（７）によってステイ（1）に回転可能に支持される。レバーベース（８）がステイ（1）に例えば圧入、接着あるいはねじ止めによって固定され、レバー（9）がレバー固定ピン（10）によってレバーベース（８）に旋回可能に取り付けられる。上記のV字状の溝を有するストッパー受け（２０）の溝と係合するV字状の畝を有するストッパー（４）が各二つの可動ピン（６）及び各二つのスプリング（５）を介してステイ（１）に保持される。該スプリングは可動ピン（６）をステイ（１）から離す方向に付勢される。従って、レバー（９）は可動ピン（6）と常に接触している。図3−2は、レバー（9）がロック解除位置にある状態を示し、レバー（9）の薄い側面が可動ピン（６）と接触しているので、可動ピン（6）はホイール（2）から遠ざかる方向に押され、従ってストッパー（４）のV字溝が、ホイール（２）側のV字畝と係合していない。
【００１０】
図4はレバー（9）がロック位置にある状態を示し、右側のレバー（9）が旋回引き出されている。レバー（９）の、上記の薄い側面に比較して厚い端が可動ピン（６）と接触しているので、可動ピン（6）はホイール（2）の方向に押され、従ってストッパー（４）のV字溝が、ホイール（２）側のV字畝と係合し、ホイール（２）の回転を防ぐ。可動ピンとストッパーとは互いに結合されている。次に、レバー（９）を倒せば、スプリング（５）の力によってストッパー（４）はストッパー受け（２０）から離されて、ホイール（２）の回転が自由になる。このように、スプリング（５）によって可動ピン（6）がレバー（９）の接触面を常に（ロック位置でも、ロック解除位置でも）押しているので、ロック状態においてロックが不測に解除されることが無く、逆にロック解除状態においてロックが不測にかかることが無い。
【００１１】
好ましくは、レバー（９）の長手方向(柄)は、レバーがロック解除位置にある時には図4の左側に示す様にホイールの半径方向を向き、レバーがロック位置にある時には図4の右側に示すようにホイールの軸方向を向き、従ってロック解除位置にあるときにレバーはステイから比較的突出していない。好ましくは、図1、図2に示すように、レバー(9)は、ロック解除状態においてはステイの中に収容される。
【００１２】
好ましくは、図1、図4に示すように、ストッパー（４）及びストッパー受け(20)を含む上記ストッパー機構がホイールの両側面に各1備えられている。
【００１３】
本発明のストッパー付きキャスターにおける各部材は、任意の材料、たとえば合成樹脂、金属から作られることが出来る。キャスターを取り付ける取り付けベース（１２）は、強度が要求されるので、金属、あるいは剛性の高い合成樹脂例えばポリプロピレン、ポリアセタール、ポリアミドであることが出来る。ステイ(1)は強度が要求されると共に、スプリング(5)からの力を受けて少し撓むことが望ましいので、ポリブチレンテレフタレート、ポリアミド、POMなどであることが出来る。ホイール(2)は弾性が必要なので、ポリウレタンであることができる。ホイールブッシュ（３）はナイロン６、ストッパー（４）はポリブチレンテレフタレート、ポリアミド、POMなどであることが出来る。他の部材は、自体公知のものであり、適宜の素材から成ることが出来る。
【産業上の利用可能性】
【００１４】
本発明のストッパー付きキャスターは、鞄、買い物カート、台車、移動机、作業台などの下にキャスターとして有用である。
【図面の簡単な説明】
【００１５】
【図１】本発明のストッパー付きキャスターの組立て図
【図２】図2−1は、本発明のストッパー付きキャスターの側面図、図2−2は正面図、図2−3は底面図
【図３】図3−1は、図2−1におけるX-X’における断面図（中空リベットの中心を通る断面図）、図3−2は図２−１におけるX-Yにおける断面図（可動ピンの中心を通る断面図）
【図４】本発明のストッパー付きキャスターの側断面図
【符号の説明】
【００１６】
１：ステイ
２：ホイール
３：ブッシュ
４：ストッパー
５：スプリング
６：可動ピン
７：中空リベット
８：レバーベース
９：レバー
１０：レバー固定ピン
１１：ベアリング
１２：取り付けベース
１３：中空段付リベット
１４：ワッシャー
２０：ストッパー受け
３０：キャスター
【図１】
2009286315.tif 000003
【図２】
2009286315.tif 000004
【図３】
2009286315.tif 000005
【図４】
2009286315.tif 000006